(57)【要約】【課題】保持器ポケットの形状を球状部分と円筒部分で構成することにより、保持器ポケットと玉の間に潤滑剤を入り易くし、保持器音を防止した軸受を提供することである。【解決手段】オルタネータなどの電装補機に使用される転がり軸受に組み込まれる冠型保持器４であって、その保持器４のポケット７のポケット面８形状を、球状部分９と円筒部分１０からなる複合面で構成し、保持器ポケット面８と玉３の間に、グリースなどの潤滑剤を溜まり易くして、保持器４と玉３の間の潤滑性を向上させる複数の潤滑剤溜まり部１３を形成する。【選択図】  図３
2005076657.tif 000002
【特許請求の範囲】
【請求項１】
円環状に形成された本体の周方向に、アキシャル方向の同一方向に開口部を備えた複数のポケットが形成されている冠型保持器であって、ポケットは、円筒部分と球状部分を組み合わせた複合面にて構成されていることを特徴とする冠型保持器。
【請求項２】
ポケットの最深部に球状部分を設け、該球状部分端部と爪との間の所望位置に円筒部分を設けたことを特徴とする請求項１に記載の冠型保持器。
【請求項３】
円筒部分のアキシャル方向長さは、玉径の２０〜５０％であることを特徴とする請求項１又は２のいずれかに記載の冠型保持器。
【請求項４】
電装補機に使用される転がり軸受に組み込まれることを特徴とする請求項１乃至３のいずれかに記載の冠型保持器。
【請求項５】
少なくとも一対の軌道輪と、該軌道輪間に組み込まれる複数個の玉と、これら玉を保持する保持器にて構成されている転がり軸受であって、前記保持器は、円環状に形成された本体の周方向に、軸方向の同一方向に開口を備えた複数のポケットが形成されている冠型保持器であって、ポケットは
円筒部分と球状部分を組み合わせた複合面にて構成されていることを特徴とする転がり軸受。
【請求項６】
冠型保持器は、ポケットの最深部に球状部分を設け、該球状部分端部と爪との間の所望位置に円筒部分を設けたことを特徴とする請求項５に記載の転がり軸受。
【請求項７】
冠型保持器は、ポケットの円筒部分のアキシャル方向長さが、玉径の２０〜５０％であることを特徴とする請求項５又は６のいずれかに記載の転がり軸受。
【請求項８】
電装補機に使用されることを特徴とする請求項５乃至７のいずれかに記載の転がり軸受。
【請求項９】
電装補機がオルタネータであることを特徴とする請求項８に記載の転がり軸受。
【発明の詳細な説明】
【０００１】
【発明の属する技術分野】
本発明は、高荷重、高速下で低温から高温の条件で使用される自動車の電装補機、例えばオルタネータ軸受に使用される軸受の潤滑性向上に関するものである。
【０００２】
【従来の技術】
従来、回転体を回転・支持する機械要素として、転がり軸受、特に転動体に玉を用いた深溝玉軸受が広く用いられている。そしてこの種の軸受に組み込まれる保持器には、例えば図５に示すプラスチック製の冠型保持器が広く使用されており、該保持器は、円環状に形成されている本体５と、該本体５の円周方向に複数設けられているアキシャル方向の同一方向に開口部６を設けた複数のポケット７からなり、そのポケット７のポケット面８の形状は、図５に示すように、球面（球状部分）９だけで構成されているものが多い（非特許文献１を参照）。
【０００３】
【非特許文献】
社団法人日本ベアリング協会編集「ＪＩＳ用語解説シリーズ転がり軸受用語」
財団法人日本規格協会発行１９９３年７月２０日Ｐ．３１
【０００４】
【発明が解決しようとする課題】
しかし、このような従来技術にあっては、次のような問題点を有していた。
例えば自動車などの電装品軸受（オルタネータ軸受など）の場合、高温性を重視したグリース（潤滑剤ともいう）が使われている為、低温において流動性がやや低下し、玉と保持器の間にグリースが入り難く保持器音等が発生し問題になることがある。
本発明は、従来技術の有するこのような問題点に鑑みなされたもので、その目的とするところは、保持器ポケットの形状を球状部分と円筒部分で構成することにより、保持器ポケットと玉の間に潤滑剤を入り易くし、保持器音を防止した軸受を提供することである。
【０００５】
【課題を解決するための手段】
上記課題を達成するために本発明がなした技術的手段は、円環状に形成された本体の周方向に、アキシャル方向の同一方向に開口部を備えた複数のポケットが形成されている冠型保持器であって、ポケットは、円筒部分と球状部分を組み合わせた複合面にて構成されている。このポケットは、その最深部に球状部分を設け、該球状部分端部と爪との間の所望位置に円筒部分を設けた。円筒部分のアキシャル方向長さは、玉径の２０〜５０％である。上記したこれらの冠型保持器は、少なくとも一対の軌道輪と、該軌道輪間に組み込まれる複数個の玉と、これら玉を保持する保持器にて構成されている転がり軸受における保持器として組み込まれる。
特に、例えばオルタネータなどの電装補機に使用される転がり軸受に組み込まれるとその効果が有効に発揮される。
すなわち、この発明により、保持器ポケット面と玉との間に潤滑剤溜り部が形成されて保持器と玉の間の潤滑性が向上され、保持器音の防止や軸受全体の潤滑性が向上し、焼付き寿命も向上する。
【０００６】
【発明の実施の形態】
以下、本発明の一実施形態を図に基づいて説明する。なお、本実施形態は、本発明の一実施形態にすぎず何等これらに限定して解釈されるものではなく、本発明の範囲内で適宜設計変更可能である。
図１は、外輪１と、内輪２と、外輪１と内輪２との間に組み込まれる複数の転動体（玉）３と、これら転動体３を保持する保持器４と、外輪１と内輪２との間に必要に応じて備えられ軸受内を密封する密封板（接触若しくは非接触シール又はシールド）１４で構成されている転がり軸受の一実施形態を示す。
なお、図示は省略しているが、この軸受内には所望な潤滑剤（グリース・潤滑油など）が封入されている。
転がり軸受は、少なくとも外輪１と、内輪２と、外輪１と内輪２との間に組み込まれる複数の転動体３と、これら転動体３を保持する保持器４とで構成されているものであればすべて本発明の対象範囲内である。また、本実施形態において、保持器４以外の構成、例えば外輪１と内輪２と複数の転動体３及び密封板１４の各構成にあっては特に本実施形態に限定されず任意に設計変更可能であるため、これらについての説明は省略し、本実施形態において特有の構成を採用した保持器４について以下詳述する。
【０００７】
保持器４は、例えば図５に示した形態と同様に、円環状に形成された本体５の周方向に、アキシャル方向の同一方向に開口部６を備えた複数のポケット７が等間隔に形成されているプラスチック製の冠型保持器であるが、図２および図３に示すように、そのポケット７の形態に特徴を有している。なお、冠型保持器４の材質、保持器外径・内径、若しくはポケット数や、ポケット内径などは特に図示形態に限定されず任意である。
ポケット７は、玉３が摺接するそのポケット面８が、円筒部分１０と球状部分９を組み合わせた複合面にて構成されている。
すなわち、本実施形態の冠型保持器４のポケット７を、外径側および内径側から見ると、図３（ａ），（ｂ）に示すように、そのエッジ部分１１が、球状部分９を構成している平面視曲線部分１１ａと、円筒部分１０を構成している直線部分１１ｂからなっている。
本実施形態では、ポケット７の最深部７ａに球状部分９を設け、該球状部分９の端部９ａと、ポケット開口部６位置に備えられている爪１２との間の所望位置に円筒部分１０を設けている。
また、この円筒部分１０と球状部分９の複合面構成は、特に本実施形態には限定されず本発明の範囲内で適宜設計変更可能である。
好ましい円筒部分１０のアキシャル方向長さは、ポケット７に組み込まれる玉３における玉径Ｄの２０〜５０％である。特に好ましくは、玉径Ｄの４０％である。
すなわち、円筒部分１０のアキシャル方向長さが、玉径Ｄの２０％未満では、球面とアキシャル部接点のすきまが確保出来ないため、グリースの流動が不十分である。また、５０％を越すと、球面部が減少する分保持器動き量が大きくなり過ぎてしまう。
【０００８】
潤滑剤は、特に限定されず本発明の範囲内で適宜選択されるが、高温性を重視したグリース、例えば、非石けん基グリース，リチウムグリース（シリコーン基油）などであってもよく、本実施形態によれば低温において流動性が低下しても潤滑性が向上する。
【０００９】
このようにポケット面８を、円筒部分１０と球状部分９の複合面構成としたことにより、本実施形態では、玉３とポケット面８とが図示せるａ乃至ｅの５点にて接触し、接点ａとｂとの間、接点ｂとｃとの間、接点ｃとｄとの間、接点ｄとｅとの間に所望範囲の潤滑剤溜まり部１３が形成される。
このように保持器ポケット面８と玉３との間に潤滑剤溜り部１３が形成されて保持器４と玉３の間の潤滑性が向上され、保持器音の防止や軸受全体の潤滑性が向上し、焼付き寿命も向上する。
上記説明した冠型保持器４は、例えば、高荷重、高速下で低温から高温の条件で使用される自動車の電装補機に使用される転がり軸受に組み込まれる。
電装補機として、例えばオルタネータが代表的なものとしてあげられるが、限定して解釈されるものではない。
【００１０】
「実施例」
図４は、図１乃至図３に示した本実施形態の転がり軸受と、図５に示した従来の保持器を組み込んでなる転がり軸受とを比較した高速における保持器音確認試験の結果を示す。
以下の通りに潤滑条件を悪くした回転評価において、従来の保持器を組み込んだ転がり軸受では保持器音が確認されたのに対し、本実施形態の保持器を組み込んだ転がり軸受では保持器音が確認されなかった。なお、保持器形態以外の他の軸受構成・回転数などの諸条件にあっては、従来軸受と本実施形態軸受では同一条件とした。
＜条件＞
軸  受：内径φ１５ｍｍ、外径φ３５ｍｍ、幅１１ｍｍの単列深溝玉軸受
（軸受呼び番号６２０２）
回転数：３０００ｍｉｎ−１  モーメント負荷
グリース：ウレア増ちょう剤、１００ｃｓｔエーテル基油
グリース封入量：空間容積比１５％
シール：未装着（開放型）
【００１１】
【発明の効果】
本発明は、保持器ポケットのポケット面形状を、球状部分と円筒部分からなる複合面で構成することにより、保持器ポケット面と玉の間には複数の潤滑剤溜まり部が形成される。この複数の潤滑剤溜まり部により、ポケット面と玉の間にグリースが入り易くなり、保持器と玉の間の潤滑性が向上され、保持器音の防止や軸受全体の潤滑性が向上し、焼付き寿命も向上する。
【図面の簡単な説明】
【図１】本発明転がり軸受の一実施形態を一部省略して示す断面図。
【図２】本発明冠型保持器の一実施形態を拡大して示す一部斜視図。
【図３】本発明冠型保持器のポケットに玉が組み込まれ、潤滑剤溜りが形成されている状態を拡大して示す図で、（ａ）は外径側から見た拡大平面図、（ｂ）は円筒部分と玉との接触部分を拡大して示す図。
【図４】本実施形態の転がり軸受と、従来の保持器を組み込んでなる転がり軸受とを比較した高速における保持器音確認試験の結果を示す図。
【図５】従来の冠型保持器を示す斜視図。
【符号の説明】
１：外輪
２：内輪
３：転動体（玉）
４：冠型保持器
５：本体
６：開口部
７：ポケット
８：ポケット面
９：球状部分
１０：円筒部分
１１：エッジ部
１３：潤滑剤溜まり部
ａ〜ｅ：ポケット面と玉との接点
【図１】
2005076657.tif 000003
【図２】
2005076657.tif 000004
【図３】
2005076657.tif 000005
【図４】
2005076657.tif 000006
【図５】
2005076657.tif 000007